(57)【要約】【課題】無線通信システムにおいて、移動通信端末や大容量データ通信端末装置などの異なる複数のサービス品質の両者の満足度を高めること。【解決手段】複数の無線サービス提供域が、個別ＡＰサービス提供域と２以上の無線サービス提供域の和集合として仮想的に統合された仮想ＡＰ提供域とに区分される。ＡＰ装置アプリケーション種別判別手段は、自身にアクセスする端末装置で起動されているアプリケーション種別を判別する。無線制御装置のＡＰ管理手段は、ＡＰ装置ごとに許可するアプリケーション種別を管理し、切断指示手段は、ＡＰ装置に接続される端末装置が要求するアプリケーション種別がＡＰ管理手段によって許可されているアプリケーション種別に合致しないときにＡＰ装置と端末装置との接続を切断する。また、ＡＰ装置は、アプリケーション種別判別手段が判別したアプリケーション種別を無線制御装置に伝達する。【選択図】        図１０
2006304116.tif 000002
【特許請求の範囲】
【請求項１】
無線アクセスサービスが提供される無線サービス領域で行われる通信を制御する無線制御装置と、該無線サービス領域の要所（アクセスポイント：以下「ＡＰ」という）に配置されて該無線制御装置と所定の通信を行うアクセスポイント装置（以下「ＡＰ装置」という）と、該無線サービス領域の無線アクセスサービスを利用する端末装置と、を備えた無線通信システムにおいて、
前記無線サービス領域を形成する複数のサービス提供域が、個々のサービス提供域内における個別のＡＰサービスを提供する個別ＡＰサービス提供域と、該複数のサービス提供域のうちの２以上のサービス提供域の和集合として仮想的に統合されたサービス提供域におけるＡＰサービスを提供する仮想ＡＰ提供域と、に区分され、
前記ＡＰ装置は、自身にアクセスする端末装置で起動されているアプリケーション種別を判別するアプリケーション種別判別手段を備え、
前記無線制御装置は、
前記ＡＰ装置ごとに許可するアプリケーション種別を管理するＡＰ管理手段と、
前記ＡＰ装置に接続される端末装置が要求するアプリケーション種別が前記ＡＰ管理手段によって許可されているアプリケーション種別に合致しないときに、該ＡＰ装置と該端末装置との接続を切断する切断指示手段と、
を備え、
前記ＡＰ装置は、前記アプリケーション種別判別手段が判別したアプリケーション種別を前記無線制御装置に伝達することを特徴とする無線通信システム。
【請求項２】
前記ＡＰ管理手段は、前記端末装置に許可されるアプリケーション種別を該ＡＰ装置の識別子と関連づけて管理するＡＰ管理情報テーブルを有することを特徴とする請求項１に記載の無線通信システム。
【請求項３】
前記ＡＰ装置は、前記端末装置の接続状態を管理する端末状態管理手段を備え、
前記端末状態管理手段は、自身と接続状態にある端末装置が要求するアプリケーション種別を該端末装置の識別子と関連づけて管理する端末状態管理テーブルを有することを特徴とする請求項１または２に記載の無線通信システム。
【請求項４】
前記無線制御装置は、
前記ＡＰ管理情報テーブル内の接続許可アプリケーション種別情報と、前記ＡＰ装置から伝達された端末装置で起動されているアプリケーション種別情報とに基づいて、該端末装置からの接続要求を許可しない前記無線サービス領域配下のＡＰ装置を決定する決定手段と、
該ＡＰ装置に該端末装置の識別子を伝達する伝達手段と、
を備え、
前記ＡＰ装置は、
前記無線制御装置から伝達された接続要求を許可しない端末装置の識別子に基づいて、前記端末装置からの接続要求を拒絶することを特徴とする請求項１〜３のいずれか一つに記載の無線通信システム。
【請求項５】
前記無線制御装置は、
前記ＡＰ管理情報テーブル内の接続許可アプリケーション種別情報と、前記ＡＰ装置から伝達された端末装置で起動されているアプリケーション種別情報とに基づいて、該端末装置からの接続要求を許可する前記無線サービス領域配下のＡＰ装置を決定する決定手段と、
該ＡＰ装置に該端末装置の識別子を伝達する伝達手段と、
を備え、
前記ＡＰ装置は、
前記無線制御装置から伝達された接続要求を許可する端末装置の識別子に基づいて、前記端末装置からの接続要求を許可することを特徴とする請求項１〜３のいずれか一つに記載の無線通信システム。
【請求項６】
無線アクセスサービスが提供される無線サービス領域で行われる通信を制御する無線制御装置と、該無線サービス領域の要所（アクセスポイント：以下「ＡＰ」という）に配置されて該無線制御装置と所定の通信を行うアクセスポイント装置（以下「ＡＰ装置」という）と、該無線サービス領域の無線アクセスサービスを利用する端末装置と、を備えた無線通信システムにおいて、
前記無線サービス領域を形成する複数のサービス提供域が、個々のサービス提供域内における個別のＡＰサービスを提供する個別ＡＰサービス提供域と、該複数のサービス提供域のうちの２以上のサービス提供域の和集合として仮想的に統合されたサービス提供域におけるＡＰサービスを提供する仮想ＡＰ提供域と、に区分され、
前記端末装置は、自身が起動させているアプリケーション種別情報を取得するアプリケーション種別取得手段を備え、
前記ＡＰ装置は、前記端末装置の伝達手段によって伝達されたアプリケーション種別を前記無線制御装置に伝達する伝達手段を備え、
前記無線制御装置は、
前記ＡＰ装置ごとに許可するアプリケーション種別を管理するＡＰ管理手段と、
前記ＡＰ装置に接続される端末装置が要求するアプリケーション種別が前記ＡＰ管理手段によって許可されているアプリケーション種別に合致しないときに、該ＡＰ装置と該端末装置との接続を切断する切断指示手段と、
を備え、
前記端末装置は、アプリケーション種別取得手段が取得したアプリケーション種別を前記ＡＰ装置に伝達することを特徴とする無線通信システム。
【請求項７】
無線アクセスサービスが提供される無線サービス領域で行われる通信を制御する無線制御装置と、該無線サービス領域の要所（アクセスポイント：以下「ＡＰ」という）に配置されて該無線制御装置と所定の通信を行うアクセスポイント装置（以下「ＡＰ装置」という）と、該無線サービス領域の無線アクセスサービスを利用する端末装置と、を備えた無線通信システムにおいて、
前記無線サービス領域を形成する複数のサービス提供域が、個々のサービス提供域内における個別のＡＰサービスを提供する個別ＡＰサービス提供域と、該複数のサービス提供域のうちの２以上のサービス提供域の和集合として仮想的に統合されたサービス提供域におけるＡＰサービスを提供する仮想ＡＰ提供域と、に区分され、
前記端末装置は、自身が起動させているアプリケーション種別の変化を検出するアプリケーション種別変化検出手段を備え、
前記無線制御装置は、
前記ＡＰ装置ごとに許可するアプリケーション種別を管理するＡＰ管理手段と、
前記ＡＰ装置に接続される端末装置が要求するアプリケーション種別が前記ＡＰ管理手段によって許可されているアプリケーション種別に合致しないときに、該ＡＰ装置と該端末装置との接続を切断する切断指示手段と、
を備え、
前記端末装置は、自身のアプリケーション種別変化検出手段が検出したアプリケーション種別変化情報を前記ＡＰ装置に伝達し、
前記ＡＰ装置は、前記端末装置から伝達されたアプリケーション種別変化情報を前記無線制御装置に伝達することを特徴とする無線通信システム。
【請求項８】
前記無線制御装置の機能を前記無線サービス領域に配置された複数のＡＰ装置のうちのいずれかのＡＰ装置が有していることを特徴とする請求項１〜７のいずれか一つに記載の無線通信システム。
【請求項９】
前記ＡＰ装置は、自身のサービス提供域に一部または全部が含まれる他のサービス提供域におけるサービスを提供するＡＰ装置情報である同地域移行先ＡＰ情報を保持する同地域移行先ＡＰ情報保持手段をさらに備え、
前記ＡＰ装置は、前記無線制御装置から伝達された切断指示を自身に接続されている端末装置に伝達する際に、前記同地域移行先ＡＰ情報を前記端末装置に伝達し、
前記端末装置は、切断指示とともに伝達された同地域移行先ＡＰ情報に基づいて次回接続する無線基地局を決定することを特徴とする請求項１〜８のいずれか一つに記載の無線通信システム。
【請求項１０】
前記ＡＰ装置は、自身のサービス提供域に一部または全部が含まれる他のサービス提供域におけるサービスを提供するＡＰ装置情報である同地域移行先ＡＰ情報を保持する同地域移行先ＡＰ情報保持手段をさらに備え、
前記ＡＰ装置は、接続を拒絶する拒絶応答を配下の端末装置に伝達する際に、前記同地域移行先ＡＰ情報を前記端末装置に伝達し、
前記端末装置は、拒絶応答とともに伝達された同地域移行先ＡＰ情報に基づいて次回接続する無線基地局を決定することを特徴とする請求項１〜８のいずれか一つに記載の無線通信システム。
【発明の詳細な説明】
【技術分野】
【０００１】
本発明は、無線通信システムに関するものであり、無線制御装置、アクセスポイント装置および端末装置などで構成される無線通信システムに関するものである。
【背景技術】
【０００２】
従来のバーチャルアクセスポイント（以下「仮想ＡＰ」という）を用いた無線アクセスシステムでは、複数のアクセスポイント装置（以下「ＡＰ装置」という）のＢＳＳＩＤ（Ｂａｓｉｃ  Ｓｅｒｖｉｃｅ  Ｓｅｔ  ＩＤｅｎｔｉｆｉｃａｔｉｏｎ）や使用する周波数チャネル等の設定が揃えられ、それぞれのサービス提供域の和集合を一つの大きな仮想ＡＰとするサービス提供域が提供される一方で、それらのＡＰ装置と端末装置との間の接続制御を所定の制御装置が行うようにしているので、一定スループットのデータ伝送を続ける無線ＩＰ電話端末等が上記のような仮想ＡＰサービスの提供域内を移動したとしても、サービスの途絶や瞬断を発生させないようにしている（例えば、非特許文献１、２など）。
【０００３】
【非特許文献１】「ＡＰ１００  Ｍｅｒｕ  Ｎｅｔｗｏｒｋｓ  Ａｃｃｅｓｓ  Ｐｏｉｎｔ」２００５年  Ｍｅｒｕ  Ｎｅｔｗｏｒｋｓ  Ｉｎｃ．  Ｐ１〜Ｐ２
【非特許文献２】「ＭＣ３０００、ＭＣ１０００、ＭＣ５００  Ｃｏｎｔｒｏｌｌｅｒ  Ｆａｍｉｌｙ」２００５年  Ｍｅｒｕ  Ｎｅｔｗｏｒｋｓ  Ｉｎｃ．  Ｐ１〜Ｐ２
【発明の開示】
【発明が解決しようとする課題】
【０００４】
しかしながら、上記非特許文献１や非特許文献２などに示された従来技術にかかる仮想ＡＰでは、周波数チャネルが同一のＡＰ装置を近接させて配置すると、相互に干渉を起こす問題が発生し、この問題により無線伝送区間のスループットが低下してしまい、伝送スループット要件の厳しいユーザデータの伝送には不向きであるといった問題点があった。
【０００５】
また、従来のＩＥＥＥ８０２．１１の規定に沿った無線アクセスシステムは、ユーザデータの種別に応じたサービス品質（ＱｏＳ：Ｑｕａｌｉｔｙ  ｏｆ  Ｓｅｒｖｉｃｅ）の確保ができないという問題点があった。
【０００６】
さらに、近年、ＩＥＥＥ８０２．１１ｅにてＱｏＳをサポートする拡張がなされたが、旧来のＩＥＥＥ８０２．１１に準拠した端末と新たなＩＥＥＥ８０２．１１ｅに準拠した端末とが混在する無線アクセスシステムでは、所望のＱｏＳの確保が困難であるといった問題点もあった。
【０００７】
本発明は、上記に鑑みてなされたものであって、移動通信を行う端末装置へのサービス品質や、大容量データ通信を行う端末装置へのサービス品質など、異なる複数のサービス品質を共に満足させるように、接続や切断の制御を効果的に行う機構を備えた無線通信システムおよびその構成装置を提供することを目的とする。
【課題を解決するための手段】
【０００８】
上述した課題を解決し、目的を達成するため、本発明にかかる無線通信システムは、無線アクセスサービスが提供される無線サービス領域で行われる通信を制御する無線制御装置と、該無線サービス領域の要所（アクセスポイント：以下「ＡＰ」という）に配置されて該無線制御装置と所定の通信を行うアクセスポイント装置（以下「ＡＰ装置」という）と、該無線サービス領域の無線アクセスサービスを利用する端末装置と、を備えた無線通信システムにおいて、前記無線サービス領域を形成する複数のサービス提供域が、個々のサービス提供域内における個別のＡＰサービスを提供する個別ＡＰサービス提供域と、該複数のサービス提供域のうちの２以上のサービス提供域の和集合として仮想的に統合されたサービス提供域におけるＡＰサービスを提供する仮想ＡＰ提供域と、に区分され、前記ＡＰ装置は、自身にアクセスする端末装置で起動されているアプリケーション種別を判別するアプリケーション種別判別手段を備え、前記無線制御装置は、前記ＡＰ装置ごとに許可するアプリケーション種別を管理するＡＰ管理手段と、前記ＡＰ装置に接続される端末装置が要求するアプリケーション種別が前記ＡＰ管理手段によって許可されているアプリケーション種別に合致しないときに、該ＡＰ装置と該端末装置との接続を切断する切断指示手段と、を備え、前記ＡＰ装置は、前記アプリケーション種別判別手段が判別したアプリケーション種別を前記無線制御装置に伝達することを特徴とする。
【発明の効果】
【０００９】
本発明にかかる無線通信システムによれば、端末装置で起動されているアプリケーション種別がＡＰ装置で判別されるとともに、判別されたアプリケーション種別が無線制御装置に伝達され、無線制御装置では、ＡＰ装置ごとに許可するアプリケーション種別が管理され、ＡＰ装置に接続される端末装置が要求するアプリケーション種別が許可されているアプリケーション種別に合致しないときにＡＰ装置と端末装置との接続を切断するようにしているので、移動通信端末や大容量データ通信端末装置などの異なる複数のサービス品質の両者の満足度を高めることができ、これらの端末装置に対する接続や切断の制御を効果的に行うことができるという効果を奏する。
【発明を実施するための最良の形態】
【００１０】
以下に、本発明にかかる無線通信システムの実施の形態を図面に基づいて詳細に説明する。なお、この実施の形態により本発明が限定されるものではない。
【００１１】
実施の形態１．
図１は、本発明にかかる無線通信システムの基本的構成の一例を示す図である。同図に示す無線通信システムは、無線アクセスサービスを提供する制御プレンワイヤレスコントローラ（ＣＷＣ：Ｃｏｎｔｒｏｌ  ｐｌａｎｅ  Ｗｉｒｅｌｅｓｓ  Ｃｏｎｔｒｏｌｌｅｒ，以下「ＣＷＣ装置」と呼称）１００と、アクセス網７００の要所（アクセスポイント）に配置されるアクセスポイント装置（以下「ＡＰ装置」と呼称）２００（２００ａ〜２００ｆ）と、無線アクセスサービスを利用する端末装置３００（３００ａ、３００ｂ）を備えるように構成されている。これらの構成部のうち、ＣＷＣ装置１００は、ユーザデータの伝送には関与せず、ＡＰ装置２００と端末装置３００との間の接続や切断に関する制御を執り行う。またＡＰ装置２００は、仮想的に統合されたＡＰサービスの提供域（以下「仮想ＡＰサービス提供域」という）８００ａ〜８００ｄにおいて、自身を識別するための固有の識別子であるＢＳＳＩＤ（Ｂａｓｉｃ  Ｓｅｒｖｉｃｅ  Ｓｅｔ  ＩＤｅｎｔｉｆｉｃａｔｉｏｎ）や、使用する周波数チャネルなどが統制されて仮想的な一つのＡＰ装置とみなすことができるように構成された仮想ＡＰ装置２００ａ〜２００ｃと、地理的に同一の地域に個別のＡＰサービスの提供域（以下「個別ＡＰサービス提供域」という）８００ｄ〜８００ｆにおけるサービスを提供するＡＰ装置として構成された個別ＡＰ装置２００ｄ〜２００ｆとに区分される。また、端末装置３００は、仮想ＡＰサービス提供域８００ａ〜８００ｃまたは個別ＡＰサービス提供域８００ｄ〜８００ｆ内に存在するときに無線アクセスサービスを利用して、自身のサービス提供域内に存在する他の端末装置や、他網９００ａ内に存在する通信相手６００ａまたは他網９００ｂ内に存在する通信相手６００ｂと通信することができる。
【００１２】
図２は、実施の形態１にかかるＡＰ装置２００の機能構成の一例を示すブロック図である。ＡＰ装置２００は、無線ＬＡＮ受信部２０１、無線ＬＡＮ送信部２０２、アクセス網送信部２０３、アクセス網受信部２０４、上りフレーム種別判定部２０５、下りフレーム種別判定部２０６、上りアプリケーション種別判定部２１０、下りアプリケーション種別判定部２１１、アプリケーション変化検出部２２０、アプリ種別通知フレーム生成部２２１、切断指示フレーム転送部２３０、接続拒絶／許可リスト追加指示受信部２３５、接続要求管理フレーム受信部２４０、接続応答管理フレーム生成部２４１、接続受入判定部２４５、未知端末受入可否情報保持部２４６、端末状態管理部２５０および接続可否端末リスト管理部２６０の各機能部を備えるように構成される。また、端末状態管理部２５０には、端末との接続状態を管理するための端末状態管理テーブル２５０ａが具備される。接続可否端末リスト管理部２６０には、接続許可端末識別子の一覧である接続許可端末リスト２６０ａと、接続拒絶端末識別子の一覧である接続拒絶端末リスト２６０ｂと、が保持される。なお、仮想ＡＰ装置２００ａ〜２００ｃの各装置と、個別ＡＰ装置２００ｄ〜２００ｆの各装置においては、それぞれの構成をその機能ごとに異ならせる必要はなく、同一または同等に構成されていればよい。
【００１３】
図３は、実施の形態１にかかるＣＷＣ装置１００の機能構成の一例を示すブロック図である。ＣＷＣ装置１００は、アクセス網受信部１０１、アクセス網送信部１０２、アプリ種別通知フレーム受信部１１０、接続継続可否判定部１２０、切断指示フレーム生成部１３０、接続拒絶リスト追加指示フレーム生成部１４０、接続許可リスト追加指示フレーム生成部１４５およびＡＰ管理部１５０の各機能部を備えるように構成される。また、ＡＰ管理部１５０には、接続を許可しているＡＰ装置２００をアプリケーション種別ごとに管理するためのＡＰ管理情報テーブル１５０ａが具備される。
【００１４】
図４は、図２に示したＡＰ装置２００の端末状態管理部２５０に具備される端末状態管理テーブル２５０ａの構成の一例を示す図である。図４に示される端末状態管理テーブル２５０ａには、端末識別子２５１、接続状態２５２および動作アプリケーション種別２５３を一つのテーブルエントリ単位とするセットが保持され、端末状態管理部２５０は、端末状態管理テーブル２５０ａに基づいて端末との接続状態を管理する。
【００１５】
図５−１は、ＡＰ装置２００の接続可否端末リスト管理部２６０に具備される接続許可端末リスト２６０ａの構成の一例を示す図であり、図５−２は、同様に、ＡＰ装置２００の接続可否端末リスト管理部２６０に具備される接続拒絶端末リスト２６０ｂの構成の一例を示す図である。図５−１に示される接続許可端末リスト２６０ａには、接続が許可される端末の識別子である接続許可端末識別子の一覧が保持される。また、図５−２に示される接続拒絶端末リスト２６０ｂには、接続が拒絶される端末の識別子である接続拒絶端末識別子の一覧が保持される。
【００１６】
図６は、図３に示したＣＷＣ装置１００のＡＰ管理部１５０に具備されるＡＰ管理情報テーブル１５０ａの構成の一例を示す図である。図６に示されるＡＰ管理情報テーブル１５０ａには、ＡＰ識別子１５１および接続許可アプリケーション種別１５２を一つのテーブルエントリ単位とするセットが保持され、ＡＰ管理部１５０は、ＡＰ装置２００が接続を許可する接続許可アプリケーション種別を管理する。なお、仮想ＡＰ装置２００ａ〜２００ｃへの接続を許可する接続許可アプリケーション種別１５２を、仮想ＡＰ装置自身に固有な、例えば端末の移動時の接続の継続に関する要件が厳しい１種類以上の値とし、一方、個別ＡＰ装置２００ｄ〜２００ｆへの接続を許可する接続許可アプリケーション種別１５２を、個別ＡＰ装置自身に固有な、例えば伝送スループット要件の厳しい１種類以上の一意の値としておくと、後述する効果を最も得やすくなる。
【００１７】
図７は、実施の形態１にかかる端末装置３００の機能構成の一例を示すブロック図である。端末装置３００は、アプリケーション３１０、データフレーム生成部３３０、管理フレーム生成部３３５、無線ＬＡＮ送信部３４０、接続状態管理部３５０、管理フレーム受信部３６０、データフレーム受信部３６５、フレーム種別判定部３７０および無線ＬＡＮ受信部３８０の各機能部を備えるように構成される。
【００１８】
図８は、図７に示した端末装置３００の接続状態管理部３５０が取り得る接続状態の一例を示す状態遷移図である。同図に示すように、接続状態管理部３５０は、ＩＤＬＥ（Ｑ１）、ＡＰ検索中（Ｑ２）、接続要求中（Ｑ３）および接続中（Ｑ４）の各接続状態を取り得ることになる。
【００１９】
また、図９は、端末装置３００ｂが、ＩＥＥＥ８０２．１１のＳＣＡＮ機能を実施してＡＰ装置２００ａを検出し、その後、この実施の形態にかかる無線通信システムの接続シーケンスに基づいて端末装置３００ｂとＡＰ装置２００ａとの間で行われる接続シーケンスの一例を示す図である。
【００２０】
つぎに、図８および図９の図面に基づいて、この実施の形態にかかる無線通信システムの接続シーケンス動作について、図１〜図７に示された各構成部や各テーブルを参照して説明する。
【００２１】
まず、図８に示すように、端末装置３００ｂの接続状態は、接続状態管理部３５０によって管理される。接続状態管理部３５０が起動すると端末装置３００ｂの接続状態は、ＩＤＬＥ（Ｑ１）に遷移する（遷移ＴＲ１）。端末装置３００ｂの接続状態がＩＤＬＥ（Ｑ１）のときに、例えば端末装置３００ｂの使用者による操作や、アプリケーションの自動接続動作等によりＳＣＡＮ処理が実施されると（図９のステップＳ９０１）、端末装置３００ｂの接続状態がＡＰ検索中（Ｑ２）に遷移する（図８の遷移ＴＲ２）。
【００２２】
なお、端末装置３００ｂが地理的に重なっているサービス提供域８００ａまたは８００ｄのいずれかに存在する場合に、ＡＰ装置２００ａまたは２００ｄのいずれかが接続相手方となるが、いずれのＡＰ装置が接続相手方となってもよい。接続相手方の決定手法について一例を示すとするならば、例えば、送信されるビーコン信号の受信出力が最も強いＡＰ装置を選択してもよいし、最初に検出されたビーコン信号の送信元のＡＰ装置を選択してもよい（図９のステップＳ９０２）。
【００２３】
つぎに、端末装置３００ｂは、決定された接続相手のＡＰ装置２００ａに対して接続要求管理フレームを送信し（図９のステップＳ９０３）、自身の接続状態を接続要求中（Ｑ３）に遷移させる（図８の遷移ＴＲ３）。ＡＰ装置２００ａでは、無線ＬＡＮ受信部２０１を介して受信した上りフレームが上りフレーム種別判定部２０５に入力され、上りフレーム種別が判定される（図９のステップＳ９０４）。上りフレーム種別が管理フレームの場合には接続要求管理フレーム受信部２４０を介して接続受入判定部２４５に入力され、接続要求元端末装置３００ｂの接続を受け入れるかどうかが判定される。
【００２４】
接続受入判定部２４５は、まず、接続許可端末リスト２６０ａを検索し、接続要求元端末装置３００ｂが接続許可端末リスト２６０ａに含まれている場合には接続可と判定する（図９のステップＳ９０５）。一方、接続要求元端末装置３００ｂが接続許可端末リスト２６０ａに含まれていない場合には接続拒絶端末リスト２６０ｂを検索し、接続要求元端末装置３００ｂが接続拒絶端末リスト２６０ｂに含まれている場合には接続不可と判定する（図９のステップＳ９０６）。
【００２５】
他方、接続要求元端末装置３００ｂが接続拒絶端末リスト２６０ｂにも含まれていない場合には、未知端末受入可否情報保持部２４６を参照し、未知の端末の接続を受け入れる設定となっている場合には接続可と判定する（図９のステップＳ９０７）。接続応答管理フレーム生成部２４１は、接続応答管理フレームを生成し、無線ＬＡＮ送信部２０２を介して端末装置３００ｂに送信する（図９のステップＳ９０８）。なお、この接続応答管理フレームには、判定結果が含まれる。
【００２６】
ＡＰ装置２００ａは、接続可能と判定した場合に、接続要求元端末装置３００ｂに関するエントリを端末状態管理部２５０の端末状態管理テーブル２５０ａに追加する（図９のステップＳ９０９）。なお、このエントリに対して端末状態管理テーブル２５０ａに追加する動作アプリケーション種別２５３としては、図４に示すように、例えば「不明」などとして追加すればよい。
【００２７】
端末装置３００ｂの管理フレーム受信部３６０は、接続応答管理フレームを受信すると、該フレーム内の判定結果に従って接続状態管理部３５０の接続状態を接続中（Ｑ４：図８の遷移ＴＲ４）またはＩＤＬＥ（Ｑ１：図８の遷移ＴＲ５）に遷移させる。
【００２８】
つぎに、図９のシーケンスに従って接続された端末装置３００ｂが通信相手方である端末装置６００ｂ宛にデータフレームを送信する動作および端末装置３００ｂの通信相手方である端末装置６００ｂが、端末装置３００ｂ宛にデータフレームを送信する動作について図１０のおよび図１１のフローに従うとともに、図１〜図７に示された各構成部や各テーブルを参照して説明する。なお、図１０は、端末装置３００ｂが、ＡＰ装置２００ａとの接続中に通信相手方である端末装置６００ｂ宛にデータフレームを送信するシーケンスの一例を示す図であり、図１１は、端末装置３００ｂの通信相手方である端末装置６００ｂが、端末装置３００ｂ宛にデータフレームを送信するシーケンスの一例を示す図である。
【００２９】
まず、図１０の図面に基づいて説明する。端末装置３００ｂのアプリケーション３１０が送信データを生成すると（ステップＳ１００１）、データフレーム生成部３３０にてデータフレームが生成され（ステップＳ１００２）、無線ＬＡＮ送信部３４０を介してデータフレームがＡＰ装置２００ａに送信される（ステップＳ１００３）。
【００３０】
ＡＰ装置２００ａでは、無線ＬＡＮ受信部２０１を介して受信されたデータフレーム（上りフレーム）が上りフレーム種別判定部２０５に入力され、上りフレーム種別判定部２０５にて上りフレーム種別が判定される（ステップＳ１００４）。また、上りアプリケーション種別判定部２１０にて上りアプリケーション種別が判定されるとともに（ステップＳ１００５）、所定のデータフレームがアクセス網送信部２０３を介して通信相手６００ｂ宛に送信される（ステップＳ１００６）。なお、上りアプリケーション種別判定部２１０におけるアプリケーション種別の判定手法としては種々の手法を用いることができる。ここに、アプリケーション種別の判定手法として一例を示すとするならば、例えばデータフレーム長が予め定められた一意の値である場合には、当該フレームは音声端末アプリケーションによって生成されたものとして判定することができる。
【００３１】
ＡＰ装置２００ａのアプリケーション変化検出部２２０は、端末状態管理部２５０の端末状態管理テーブル２５０ａに保持されている動作アプリケーション種別２５３を、データフレームを送信した送信元端末装置３００ｂの端末識別子２５１をキーとして検索するとともに（ステップＳ１００７）、検索された動作アプリケーション種別２５３と、上りアプリケーション種別判定部２１０から得たアプリケーション種別情報とを比較し、差異があればアプリケーションが変化したと判定する（ステップＳ１００８）。また、アプリケーション変化検出部２２０は、動作アプリケーション種別２５３を更新し（ステップＳ１００７）、アプリ種別通知フレーム生成部２２１に、アプリ種別通知フレームの生成を依頼する。アプリ種別通知フレーム生成部２２１で生成されたアプリ種別通知フレームは、送信元ＡＰ識別子、端末識別子、アプリ種別情報を含み、アクセス網送信部２０３を介して、ＣＷＣ装置１００宛に送信される（ステップＳ１００９）。
【００３２】
ここで、アプリ種別通知フレームが通知された後の処理（図１０に示すステップＳ１０１１〜Ｓ１０２８までの処理）は、主にＣＷＣ装置１００を中心としてＡＰ装置２００ａまたは端末装置３００ｂとの間で行われる共通的な処理であるため、図１０に示すようにこれらの処理全体をステップＳ１０１０として定義する。
【００３３】
アプリ種別通知フレーム受信部１１０は、アクセス網受信部１０１を介して受信したアプリ種別通知フレームに基づいてアプリ種別を認識する。アプリ種別通知フレーム受信部１１０にて認識されたアプリ種別は接続継続可否判定部１２０に伝達され、接続継続可否判定部１２０では、ＡＰ装置２００ａと端末装置３００ｂとの接続を継続してよいか否かが判定される。具体的には、ＡＰ管理部１５０のＡＰ管理情報テーブルに保持される接続許可アプリケーション種別１５２をアプリ種別通知フレームに記されている送信元ＡＰ装置の識別子であるＡＰ識別子１５１をキーとして検索するとともに（ステップＳ１０１１）、検索された接続許可アプリケーション種別１５２と、アプリ種別通知フレーム内のアプリ種別情報とを比較し、差異があれば接続継続ができないと判定して（ステップＳ１０１２）、切断指示フレーム生成部１３０に切断指示フレームの生成を依頼する。切断指示フレーム生成部１３０は、切断指示フレームを生成し（ステップＳ１０１３）、アクセス網送信部１０２を介して送信元ＡＰ装置２００ａに送信する（ステップＳ１０１４）。なお、この切断指示フレームには、端末識別子が含まれる。
【００３４】
ＣＷＣ装置１００から送信された切断指示フレームは、アクセス網受信部２０４および下りフレーム種別判定部２０６を介して切断指示フレーム転送部２３０に伝達される。切断指示フレーム転送部２３０は、伝達された切断指示フレームを、切断指示フレーム内の端末識別子をキーとして端末状態管理部２５０の端末状態管理テーブル２５０ａ内に保持される端末識別子２５１に関するエントリを削除するとともに（ステップＳ１０１５）、無線ＬＡＮ送信部２０２を介して切断指示フレームを端末装置３００ｂに転送する（ステップＳ１０１６）。
【００３５】
端末装置３００ｂは、無線ＬＡＮ受信部３８０を介して受信した切断指示フレームがフレーム種別判定部３７０に入力され、フレーム種別が判定される（ステップＳ１０１７）。フレーム種別が管理フレームの場合には管理フレーム受信部３６０に入力され、接続状態管理部３５０の接続状態を接続中（Ｑ４）からＩＤＬＥ（Ｑ１）に遷移させる（ステップＳ１０１８および図８の遷移ＴＲ６）。
【００３６】
図１０に戻って、ＣＷＣ装置１００の接続拒絶リスト追加指示フレーム生成部１４０は、ＡＰ管理部１５０のＡＰ管理情報テーブル１５０ａを参照し（ステップＳ１０１９）、アプリ種別通知フレーム内のアプリ種別情報と、接続許可アプリケーション種別１５２のアプリ種別情報とが一致しない全てのＡＰ識別子１５１に対して接続拒絶リスト追加指示フレームを生成し（ステップＳ１０２０）、関係するＡＰ装置（同図の例ではＡＰ装置２００ａ〜２００ｃ）に対して当該接続拒絶リスト追加指示フレームを送信する（ステップＳ１０２１〜Ｓ１０２３）。なお、接続拒絶リスト追加指示フレームには、端末識別子が含まれる。
【００３７】
また、ＣＷＣ装置１００の接続許可リスト追加指示フレーム生成部１４５は、ＡＰ管理部１５０のＡＰ管理情報テーブル１５０ａを参照し（ステップＳ１０２４）、アプリ種別通知フレーム内のアプリ種別情報と、接続許可アプリケーション種別１５２のアプリ種別情報とが一致する全てのＡＰ識別子１５１に対して接続許可リスト追加指示フレームを生成し（ステップＳ１０２５）、関係するＡＰ装置（同図の例ではＡＰ装置２００ｄ〜２００ｆ）に対して当該接続許可リスト追加指示フレームを送信する（ステップＳ１０２６〜Ｓ１０２８）。なお、接続許可リスト追加指示フレームには、端末識別子が含まれる。
【００３８】
また、ＡＰ装置２００（図１０の例ではＡＰ装置２００ａ〜２００ｃ）の接続拒絶／許可リスト追加指示受信部２３５は、接続拒絶リスト追加指示フレームをアクセス網受信部２０４および下りフレーム種別判定部２０６を介して受信すると、該フレーム内の端末識別子を接続可否端末リスト管理部２６０の接続拒絶端末リスト２６０ｂのエントリとして追加する。なお、接続拒絶リスト追加指示フレーム内の端末識別子が接続許可端末リスト２６０ａに含まれている場合は、そのエントリを削除する。
【００３９】
一方、ＡＰ装置２００（図１０の例ではＡＰ装置２００ｄ〜２００ｆ）の接続拒絶／許可リスト追加指示受信部２３５は、接続許可リスト追加指示フレームをアクセス網受信部２０４および下りフレーム種別判定部２０６を介して受信すると、該フレーム内の端末識別子を接続可否端末リスト管理部２６０の接続許可端末リスト２６０ａのエントリとして追加する。また該端末識別子が接続拒絶端末リスト２６０ｂに含まれている場合は該エントリを削除する。
【００４０】
以上の説明は、図１０に示したシーケンスに基づいて、端末装置３００ｂがＡＰ装置２００ａを介して通信相手方である端末装置６００ｂ宛にデータフレームを送信するシーケンスを説明してきた。一方、図１１は、図１０のシーケンスとは逆に、端末装置６００ｂがＡＰ装置２００ａを介して通信相手方である端末装置３００ｂ宛にデータフレームを送信するシーケンスにかかり、端末装置３００ｂと通信相手方の端末装置６００ｂとを入れ替えたものであって図１０のシーケンスと実質的に等価なシーケンスであるため、その説明を省略する。
【００４１】
以上のように、この実施の形態の無線通信システムでは、仮想ＡＰ装置のサービス提供域と、個別ＡＰ装置のサービス提供域を地理的に重ねあわせるようにしているので、端末装置が、いずれの種類のＡＰ装置にも接続することができる。
【００４２】
また、この実施の形態の無線通信システムでは、各ＡＰ装置は、ユーザデータの通信が始まった時点でユーザデータ発生源のアプリケーション種別を判別する一方で、ＣＷＣ装置は、アプリケーション種別情報を用いて接続継続の可否を判断して、ＡＰ装置に接続が許可されていないアプリケーション種別の場合に、端末装置とＡＰ装置との間の接続を切断するようにしているので、端末装置に特段の機能ブロックを付加することなく、仮想ＡＰ装置に収容したい端末装置を仮想ＡＰ装置に接続させ、個別ＡＰ装置に収容したい端末装置を個別ＡＰ装置に接続させるように誘導することができる。
【００４３】
また各々のＡＰ装置においては、特定のアプリケーション種別に関するユーザデータ、すなわちＱｏＳ要件の一意なユーザデータのみの伝送に専念できるため、ＡＰ装置や端末装置は、ＱｏＳクラス毎に異なる複数の送信キューを設けたり、送信キューからのデキューの優先順の決定等を行うためのＱｏＳサービスクラスを実現する機能を実装することなく、無線伝送区間の通信を効果的に行うことができる。
【００４４】
実施の形態２．
上述した実施の形態１では、ＡＰ装置が、伝送するデータフレームの内容からアプリケーション種別情報を判定してＣＷＣ装置に伝達することで、接続の継続や切断の制御を行うようにしたものであるが、この実施の形態では、端末装置自身が、自らの動作するアプリケーション種別情報を取得するとともに、当該アプリケーション種別情報をＡＰ装置を介してＣＷＣ装置に伝えることで、実施の形態１と同様の効果をより早く得ようとするものである。
【００４５】
図１２は、実施の形態２にかかる端末装置３００の機能構成の一例を示すブロック図である。同図に示す端末装置３００は、図７の構成に加えて、アプリケーション種別取得部３２０を有するように構成されている。また、図１３は、実施の形態２にかかるＡＰ装置２００の機能構成の一例を示すブロック図である。同図に示すＡＰ装置２００は、図２の構成と異なり、上りアプリケーション種別判定部２１０や、下りアプリケーション種別取得部２１１を有することなく構成されている。なお、これらの構成部を除く他の構成部については、実施の形態１と同一あるいは同等であり、これらの構成部には同一符号を付して示している。
【００４６】
つぎに図１４の図面に基づき、この実施の形態にかかる無線通信システムの接続シーケンス動作について、図１、図３〜図６、図１２および図１３に示された各構成部や各テーブルを参照して説明する。なお、図１４は、端末装置３００ｂがＡＰ装置２００ａに対して接続を行うシーケンスの一例を示す図である。
【００４７】
まず、端末装置３００ｂは、ＩＥＥＥ８０２．１１のＳＣＡＮ機能を実施してＡＰ装置２００ａを検出する（ステップＳ１４０１）。なお、複数のＡＰ装置が検出された場合には、実施の形態１と同様な手法にて一のＡＰ装置を特定する（ステップＳ１４０２）。端末装置３００ｂのアプリケーション種別取得部３２０は、アプリケーション３１０から得たアプリケーション種別情報を管理フレーム生成部３３５に通知する。管理フレーム生成部３３５は、アプリケーション種別取得部３２０から通知されたアプリケーション種別情報を付加した接続要求管理フレームを生成してＡＰ装置２００ａに通知する（ステップＳ１４０３）。
【００４８】
ＡＰ装置２００ａでは、無線ＬＡＮ受信部２０１を介して受信した上りフレームが上りフレーム種別判定部２０５に入力され、上りフレーム種別が判定される（ステップＳ１４０４）。上りフレーム種別が管理フレームの場合には接続要求管理フレーム受信部２４０を介して接続受入判定部２４５に入力され、接続要求元端末装置３００ｂの接続を受け入れるかどうかが判定される。
【００４９】
接続受入判定部２４５は、接続要求元端末装置３００ｂが図５−１に示した接続許可端末リスト２６０ａに含まれている場合には接続可と判定し（ステップＳ１４０５）、接続要求元端末装置３００ｂが接続許可端末リスト２６０ａに含まれず、接続拒絶端末リスト２６０ｂに含まれている場合には接続不可と判定し（ステップＳ１４０６）、接続要求元端末装置３００ｂが接続許可端末リスト２６０ａおよび接続拒絶端末リスト２６０ｂのいずれにも含まれていない場合には、未知端末受入可否情報保持部２４６を参照し、未知の端末の接続を受け入れる設定となっている場合には接続可と判定する（ステップＳ１４０７）。
【００５０】
接続応答管理フレーム生成部２４１は、接続応答管理フレームを生成し、無線ＬＡＮ送信部２０２を介して端末装置３００ｂに送信する（ステップＳ１４０８）。ＡＰ装置２００ａは、接続可能と判定した場合に、接続要求元端末装置３００ｂに関するエントリを端末状態管理部２５０の端末状態管理テーブル２５０ａに追加するとともに、接続要求管理フレームに含まれたアプリケーション情報を動作アプリケーション種別２５３に追加する（ステップＳ１４０９）。また、ＡＰ装置２００ａからＣＷＣ装置１００に対してアプリ種別通知フレームが通知される。
【００５１】
なお、ＡＰ装置２００ａからＣＷＣ装置１００に対してアプリ種別通知フレームが通知された以降の端末装置３００ｂ、ＡＰ装置２００ａ〜２００ｆ、ＣＷＣ装置１００の動作は、図１０に示したシーケンスと同一であるため、ここでの説明は省略する。
【００５２】
以上のように、この実施の形態の無線通信システムでは、端末装置自身が、接続要求の際に自らの動作するアプリケーション種別を含めて送信し、ＣＷＣ装置は、端末装置から送信されたアプリケーション種別情報に基づいて接続継続の可否を判断し、ＡＰ装置に接続が許可されていないアプリケーション種別の場合には端末装置とＡＰ装置との間の接続を切断するようにしているので、実施の形態１と同様の効果をデータフレームの伝送が始まるよりも前に得ることができ、ＱｏＳ要件を満たすための端末装置とＡＰ装置との間の最適な接続の組み合わせをより早く実現するように誘導することができる。
【００５３】
実施の形態３．
上述した実施の形態２では、端末装置が、接続要求管理フレームにアプリケーション種別情報を付与するようにしたものであるが、この実施の形態では、端末装置自身が、自らの動作するアプリケーション種別の変化を検出するとともに、当該アプリケーション種別の変化情報をＡＰ装置を介してＣＷＣ装置に伝えることで、アプリケーション種別が変更された場合であっても実施の形態２と同様の効果を得ようとするものである。
【００５４】
図１５は、実施の形態３にかかる端末装置３００の機能構成の一例を示すブロック図である。同図に示す端末装置３００は、図１２の構成と異なり、アプリケーション種別取得部３２０に代えてアプリケーションハンドラ３９０を有するように構成されている。また、図１６は、実施の形態３にかかるＡＰ装置２００の機能構成の一例を示すブロック図である。同図に示すＡＰ装置２００は、図１３の構成に加えて、アプリ種別変化通知管理フレーム受信部２４２を有するように構成されている。なお、これらの構成部を除く他の構成部については、実施の形態２と同一あるいは同等であり、これらの構成部には同一符号を付して示している。
【００５５】
つぎに図１５および図１６の図面に基づき、この実施の形態にかかる無線通信システムの動作について、図１および図３〜図６に示された各構成部や各テーブルを参照して説明する。
【００５６】
端末装置３００ｂに具備されるアプリケーション種別変化検出手段としてのアプリケーションハンドラ３９０は、複数種のアプリケーション３１０の中で、アクティブに動作するものが例えば端末装置３００ｂの使用者の操作等によって切り替わったことを検出する。また、アプリケーションハンドラ３９０は、アプリケーション種別の変化を検出して、管理フレーム生成部３３５に通知する。管理フレーム生成部３３５は、アプリ種別変化通知管理フレームを生成するが、当該フレームは無線ＬＡＮ送信部３４０を介してＡＰ装置に送信される。なお、このアプリ種別変化通知管理フレームには、端末識別子、アプリケーション種別情報などが含まれる。
【００５７】
ＡＰ装置２００ａのアプリ種別変化通知管理フレーム受信部２４２は、アプリ種別変化通知管理フレームの情報をアプリケーション変化検出部２２０に伝達する。アプリケーション変化検出部２２０は、アプリ種別変化通知管理フレームを受信したことによりアプリケーションが変化したと判定し、端末状態管理部２５０の端末状態管理テーブル２５０ａに保持されている動作アプリケーション種別２５３を更新し、アプリ種別通知フレーム生成部２２１に、アプリ種別通知フレームの生成を依頼する。なお、その後の端末装置３００ｂ、ＡＰ装置２００、ＣＷＣ装置１００の各動作は、実施の形態１または２と同一であり、ここでの説明は省略する。
【００５８】
以上のように、この実施の形態の無線通信システムでは、端末装置自身が、自らの動作するアプリケーション種別の変化をＡＰ装置を介してＣＷＣ装置に伝達するようにしているので、複数の種類のアプリケーションを動作させることのできる端末装置を無線通信システムに採用した場合にも、実施の形態１および２と同様の効果を得ることができ、端末装置の使用者がアプリケーションを切り替える操作を行ったりした際にも、ＱｏＳ要件を満たすための端末装置とＡＰ装置との間の最適な接続の組み合わせを実現するように誘導することができる。
【００５９】
実施の形態４．
上述した実施の形態１〜３では、ＡＰ装置からのアプリ種別通知フレームを受け取ったＣＷＣ装置が接続の継続可否の判断を行い、切断指示、接続拒絶リスト追加指示および接続許可リスト追加指示の各管理フレームを管理下のＡＰ装置に送るようにしていたが、ＣＷＣ装置の機能を無線通信システムを構成するいずれかのＡＰ装置または全てのＡＰ装置に搭載することもできる。このように構成することによっても、実施の形態１〜３と全く同様の効果を得ることができる。
【００６０】
このように、ＣＷＣ装置の機能をいずれかのＡＰ装置または全てのＡＰ装置に搭載することでＣＷＣ装置をアクセス網に設置する必要がなくなるのでアクセス網の数の増加に応じてコスト削減効果が得られる。また、ＡＰ装置とＣＷＣ装置との間の通知フレームまたは指示フレームの一部のシーケンスが不要になるので、処理手順の一部を簡素化することができるという効果が得られる。
【００６１】
実施の形態５．
上述した実施の形態１〜４では、切断指示フレームを受信した端末装置は、接続状態をＩＤＬＥ状態に遷移させていたが、この実施の形態では、ＡＰ装置が、自らのサービス提供域と重なるサービス提供域を持つ他のＡＰ装置の情報を切断指示フレームや接続応答管理フレームに付与することで、実施形態１〜４と同様の効果をより早く得ようとするものである。
【００６２】
図１７は、端末装置３００の接続状態管理部３５０が取り得る実施の形態５にかかる接続状態の一例を示す状態遷移図である。図８に示した状態遷移図の定義とは異なり、接続要求中（Ｑ３）において接続ＮＧ応答を受信した場合には接続要求中（Ｑ３）の状態が継続され（遷移ＴＲ７）、接続中（Ｑ４）において切断指示を受信した場合には接続要求中（Ｑ３）の状態に遷移する（遷移ＴＲ８）。
【００６３】
また、図１８は、実施の形態５にかかるＡＰ装置２００の機能構成の一例を示すブロック図である。同図に示すＡＰ装置２００は、図２の構成に加えて、同地域移行先ＡＰ情報保持部２４７を有するように構成されている。なお、その他の構成部については、実施の形態１と同一あるいは同等であり、これらの構成部には同一符号を付して示している。
【００６４】
同地域移行先ＡＰ情報保持部２４７には、切断後の再接続先とすべきＡＰ装置の情報を保持させることが好適である。例えば、図１の無線通信システムの構成の場合、仮想ＡＰ装置２００ａ内の同地域移行先ＡＰ情報保持部２４７には、サービス提供域の重なる個別ＡＰ装置２００ｄの識別子を保持させ、個別ＡＰ装置２００ｄ内の同地域移行先ＡＰ情報保持部２４７には、サービス提供域の重なる仮想ＡＰ装置２００ａの識別子を保持させるようにする。
【００６５】
つぎに、上述のように、サービス提供域の重なるＡＰ装置２００の識別子を保持させるように構成された無線通信システムにおいて、ＣＷＣ装置１００が、切断指示フレームを送信したときの動作について図７、図１７および図１８を参照して説明する。
【００６６】
図１８において、ＡＰ装置２００ａの切断指示フレーム転送部２３０は、ＣＷＣ装置１００から受け取った切断指示フレームを端末装置３００ｂに転送する際に、同地域移行先ＡＰ情報保持部２４７に保持されているＡＰ識別子としてＡＰ装置２００ｄを付与する。
【００６７】
図７に戻って、端末装置３００ｂの管理フレーム受信部３６０は、切断指示フレームを受信すると、切断指示フレームに含まれていたＡＰ識別子に基づき、接続相手をＡＰ装置２００ａからＡＰ装置２００ｄに変更した接続要求管理フレームを送信するとともに、接続状態管理部３５０の接続状態を接続中（Ｑ４）から接続要求中（Ｑ３）に遷移させる（遷移ＴＲ８）。
【００６８】
つぎに、ＡＰ装置２００ａが接続要求管理フレームを受信して、接続不可と判定したときの動作について図７、図１７および図１８を参照して説明する。
【００６９】
図１８において、ＡＰ装置２００ａの接続応答管理フレーム生成部２４１は、接続不可能の接続応答管理フレームを生成する際に、同地域移行先ＡＰ情報保持部２４７に保持されているＡＰ識別子としてＡＰ装置２００ｄを付与する。
【００７０】
図７に戻って、端末装置３００ｂの管理フレーム受信部３６０は、接続応答管理フレームを受信すると、接続応答管理フレーム内の判定結果が接続不可である場合に、接続相手を当該フレームに含まれていたＡＰ識別子に基づきＡＰ装置２００ｄに変更した接続要求管理フレームを送信するとともに、接続要求中（Ｑ３）である接続状態管理部３５０の接続状態を継続する（遷移ＴＲ７）。
【００７１】
以上のように、この実施の形態の無線通信システムでは、ＡＰ装置が自らのサービス提供域と重なるサービス提供域を持つ他のＡＰ装置の情報を切断指示フレームや接続応答管理フレームに付与することで、ＩＥＥＥ８０２．１１のＳＣＡＮ機能を再度用いることなく、接続相手のＡＰ装置を変更するための再接続要求を送信することができるので、ＳＣＡＮ機能により決定される接続相手のＡＰ装置が不定である場合にも、高々１回程度の切断指示または接続不可能の接続応答を受けるだけで、ＱｏＳ要件を満たすための端末装置とＡＰ装置との間の最適な接続の組み合わせをより早く実現するよう誘導することができる。
【産業上の利用可能性】
【００７２】
以上のように、本発明にかかる無線通信システムは、個別ＡＰサービス提供域や、仮想ＡＰ提供域などの複数のサービス提供域が混在する通信環境下に適用される無線通信システムとして好適であり、特に、移動通信端末や大容量データ通信端末装置などの異なる複数のサービス品質の両者の満足度を充実させたい場合などに適している。
【図面の簡単な説明】
【００７３】
【図１】本発明にかかる無線通信システムの基本的構成の一例を示す図である。
【図２】実施の形態１にかかるＡＰ装置２００の機能構成の一例を示すブロック図である。
【図３】実施の形態１にかかるＣＷＣ装置１００の機能構成の一例を示すブロック図である。
【図４】図２に示したＡＰ装置２００の端末状態管理部２５０に具備される端末状態管理テーブル２５０ａの構成の一例を示す図である。
【図５−１】ＡＰ装置２００の接続可否端末リスト管理部２６０に具備される接続許可端末リスト２６０ａの構成の一例を示す図である。
【図５−２】ＡＰ装置２００の接続可否端末リスト管理部２６０に具備される接続拒絶端末リスト２６０ｂの構成の一例を示す図である。
【図６】図３に示したＣＷＣ装置１００のＡＰ管理部１５０に具備されるＡＰ管理情報テーブル１５０ａの構成の一例を示す図である。
【図７】実施の形態１にかかる端末装置３００の機能構成の一例を示すブロック図である。
【図８】図７に示した端末装置３００の接続状態管理部３５０が取り得る接続状態の一例を示す状態遷移図である。
【図９】端末装置３００ｂが、ＩＥＥＥ８０２．１１のＳＣＡＮ機能を実施してＡＰ装置２００ａを検出し、その後、この実施の形態にかかる無線通信システムの接続シーケンスに基づいて端末装置３００ｂとＡＰ装置２００ａとの間で行われる接続シーケンスの一例を示す図である。
【図１０】端末装置３００ｂが、ＡＰ装置２００ａとの接続中に通信相手方である端末装置６００ｂ宛にデータフレームを送信するシーケンスの一例を示す図である。
【図１１】端末装置３００ｂの通信相手方である端末装置６００ｂが、端末装置３００ｂ宛にデータフレームを送信するシーケンスの一例を示す図である。
【図１２】実施の形態２にかかる端末装置３００の機能構成の一例を示すブロック図である。
【図１３】実施の形態２にかかるＡＰ装置２００の機能構成の一例を示すブロック図である。
【図１４】端末装置３００ｂがＡＰ装置２００ａに対して接続を行うシーケンスの一例を示す図である。
【図１５】実施の形態３にかかる端末装置３００の機能構成の一例を示すブロック図である。
【図１６】実施の形態３にかかるＡＰ装置２００の機能構成の一例を示すブロック図である。
【図１７】端末装置３００の接続状態管理部３５０が取り得る実施の形態５にかかる接続状態の一例を示す状態遷移図である。
【図１８】実施の形態５にかかるＡＰ装置２００の機能構成の一例を示すブロック図である。
【符号の説明】
【００７４】
１００  ＣＷＣ装置
１０１  アクセス網受信部
１０２  アクセス網送信部
１１０  アプリ種別通知フレーム受信部
１２０  接続継続可否判定部
１３０  切断指示フレーム生成部
１４０  接続拒絶リスト追加指示フレーム生成部
１４５  接続許可リスト追加指示フレーム生成部
１５０  ＡＰ管理部
１５０ａ  ＡＰ管理情報テーブル
１５１  ＡＰ識別子
１５２  接続許可アプリケーション種別
２００，２００ａ，２００ｂ，２００ｃ，２００ｄ，２００ｅ，２００ｆ  ＡＰ装置
２０１  無線ＬＡＮ受信部
２０２  無線ＬＡＮ送信部
２０３  アクセス網送信部
２０４  アクセス網受信部
２０５  上りフレーム種別判定部
２０６  下りフレーム種別判定部
２１０  上りアプリケーション種別判定部
２１１  下りアプリケーション種別判定部
２２０  アプリケーション変化検出部
２２１  アプリ種別通知フレーム生成部
２３０  切断指示フレーム転送部
２３５  接続拒絶／許可リスト追加指示受信部
２４０  接続要求管理フレーム受信部
２４１  接続応答管理フレーム生成部
２４２  アプリ種別変化通知管理フレーム受信部
２４５  接続受入判定部
２４６  未知端末受入可否情報保持部
２４７  同地域移行先ＡＰ情報保持部
２５０  端末状態管理部
２５０ａ  端末状態管理テーブル
２５１  端末識別子
２５２  接続状態
２５３  動作アプリケーション種別
２６０  接続可否端末リスト管理部
２６０ａ  接続許可端末リスト
２６０ｂ  接続拒絶端末リスト
３００，３００ａ，３００ｂ  端末装置
３１０  アプリケーション
３２０  アプリケーション種別取得部
３３０  データフレーム生成部
３３５  管理フレーム生成部
３４０  無線ＬＡＮ送信部
３５０  接続状態管理部
３６０  管理フレーム受信部
３６５  データフレーム受信部
３７０  フレーム種別判定部
３８０  無線ＬＡＮ受信部
３９０  アプリケーションハンドラ
６００ａ，６００ｂ  通信相手
７００  アクセス網
８００ａ，８００ｂ，８００ｃ  仮想ＡＰサービス提供域
８００ｄ，８００ｅ，８００ｆ  ＡＰサービス提供域
９００ａ，９００ｂ  他網
【図１】
2006304116.tif 000003
【図２】
2006304116.tif 000004
【図３】
2006304116.tif 000005
【図４】
2006304116.tif 000006
【図５−１】
2006304116.tif 000007
【図５−２】
2006304116.tif 000008
【図６】
2006304116.tif 000009
【図７】
2006304116.tif 000010
【図８】
2006304116.tif 000011
【図９】
2006304116.tif 000012
【図１０】
2006304116.tif 000013
【図１１】
2006304116.tif 000014
【図１２】
2006304116.tif 000015
【図１３】
2006304116.tif 000016
【図１４】
2006304116.tif 000017
【図１５】
2006304116.tif 000018
【図１６】
2006304116.tif 000019
【図１７】
2006304116.tif 000020
【図１８】
2006304116.tif 000021